(57)【要約】      （修正有）【課題】手作業による清掃が簡単に行える集水枡を提供する。【解決手段】集水枡は、上部が開放され周壁２ａ，２ｂに囲まれて底面３を有する縦穴状の集水部４を備え、水路の途中に設置され、集水部４の内部底面３の周面視断面が、いずれかの方向に沿って円弧状に、且つ下向きに湾曲した凹面よりなる。集水枡全体の外形は直方体又は立方体形状であり、集水部４は平面視で長方形又は正方形である。さらに集水部４縦断面は一方の側面視では長方形又は正方形であり、これと直交する他方の側面視では内部底面３が半円形に湾曲した面であり両内側面は略垂直な面である。【選択図】図１
0003151933.tif 000002
【実用新案登録請求の範囲】
【請求項１】
上部が開放され周壁（２ａ），（２ｂ）に囲まれて底面（３）を有する縦穴状の集水部（４）を備え、水路の途中に設置される集水枡（１）であって、上記集水部（４）の内部底面（３）の周面視断面が、いずれかの方向に沿って円弧状に、且つ下向きに湾曲した凹面よりなる集水枡。
【請求項２】
円弧状の凹面の向きが、集水部（４）の水の流入又は排出側を避けた側の内壁面に湾曲した底面（３）の一端が連続する方向に形成された請求項１の集水枡。
【請求項３】
全体の外形が直方体又は立方体形状であり、集水部（４）が平面視で長方形又は正方形である請求項１又は２の集水枡。
【請求項４】
集水部（４）縦断面が一方の側面視では長方形又は正方形であり、これと直交する他方の側面視では内部底面（３）が半円形に湾曲した面であり両内側面が略垂直な面である請求項１又は２又は３の集水枡。
【考案の詳細な説明】
【技術分野】
【０００１】
この考案は道路の側溝その他の排水路等に設置される集水枡に関する。
【背景技術】
【０００２】
一般に設置地盤内に水を浸透させるために集水する集水枡を除いては、給排水路の途中に設けられる集水枡は箱型又はバケット型で、内部の集水部には密閉された底部を備えている（特許文献１，同２）。
【先行技術文献】
【特許文献】
【０００３】
【特許文献１】実開平５−６１２８５号公報
【特許文献２】特開平６−３２２８１１号公報
【考案の概要】
【考案が解決しようとする課題】
【０００４】
しかし上記先行技術に示すように最も一般的な箱型の集水枡では平坦な内部底面を有して底面コーナーが直角なので、清掃時に集水枡内に溜った砂利，砂，ヘドロ，ゴミ類等を、上部開口部より手作業によって除去するのが非常に困難であった。
【０００５】
即ち、貯留物が砂利かヘドロか等を問わず、手作業による清掃では枡内の貯留物は最終的には、平坦な内部底面に沿って掻き寄せて掬い上げる必要があり、そのためには掻き寄せと掬い上げが可能なそれぞれの道具か、上部開口部より挿入して両側から挟み込んで持ち上げるショベル状の道具が必要であり、作業効率も良くないという問題がある。なお、先端にチリ取り状のショベルを付した溝掃除用のスコップでは、集水部内にショベル部を前後に動かすゆとりがなく、掬い取りが不可能である。
【課題を解決するための手段】
【０００６】
上記課題を解決するための本考案の集水枡は、第１に上部が開放され周壁２ａ，２ｂに囲まれて底面３を有する縦穴状の集水部４を備え、水路の途中に設置される集水枡１であって、上記集水部４の内部底面３の周面視断面が、いずれかの方向に沿って円弧状に、且つ下向きに湾曲した凹面よりなることを特徴としている。
【０００７】
第２に円弧状の凹面の向きが、集水部４の水の流入又は排出側を避けた側の内壁面に湾曲した底面３の一端が連続する方向に形成されたことを特徴としている。
【０００８】
第３に全体の外形が直方体又は立方体形状であり、集水部４が平面視で長方形又は正方形であることを特徴としている。
【０００９】
第４に集水部４縦断面が一方の側面視では長方形又は正方形であり、これと直交する他方の側面視では内部底面３が半円形に湾曲した面であり両内側面が略垂直な面であることを特徴としている。
【考案の効果】
【００１０】
以上の如く構成される本考案の集水枡によれば、集水部の内部底面が下向きの円弧状に湾曲しているので、上部側から内部貯留物を取出し除去する場合、例えば刃先が直線状の角形スコップ、又は先端が平板状の工具等を、貯留物除去作業の終盤に湾曲した底面をなす片側の内壁面に沿わせて挿入し、下部の湾曲面に沿わせて掻き寄せと掬い上げを連続的に行うことができる。その結果、集水枡内の残留物の除去作業が正確に簡単且つ迅速に行えるほか、その作業のための特別な用具を必ずしも必用としない等の利点がある。
【図面の簡単な説明】
【００１１】
【図１】本考案の集水枡の斜視図である。
【図２】同じく集水枡の平面図である。
【図３】（Ａ），（Ｂ）は集水枡の正面断面図及び側面図である。
【図４】集水枡の清掃方法の１例を示す拡大断面図である。
【考案を実施するための形態】
【００１２】
以下図示する本考案の実施形態につき説明すると、図１〜図４は共に単一の実施例を示し、プレキャストコンクリート製の箱型の集水枡１は上部が開放され四方を周壁２ａ，２ｂに囲まれて底面３を有する縦穴状の立方体又は直方体形状の集水部４を備えている。
【００１３】
上記集水部４の内部底面３は、外周面から見た時に、前後又は左右のいずれかの方向に沿って円弧状に且つ下向きに湾曲した凹面を形成している。
【００１４】
この実施形態では、Ｕ字溝等の水路材６との接続部７が左右の周壁２ａの中央に切欠状に形成されているので、底面３の円弧面は前後壁２ｂ，２ｂ間に形成されている。
【００１５】
さらに図示する例では、図２，図３に示すように水路材６としてのＵ字溝の端部が接続部７に嵌合して接続され、集水枡１を介して水路が直線状に形成される。また、集水枡１の底面３の曲面は上記直線状の流水方向と交差する方向に湾曲して形成されている。
【００１６】
上記集水枡１内に溜った泥，砂，砂利，ゴミ類等の貯留物を除去する際は図１のように先端が僅かに湾曲した簡単な構造のヘラ板状の清掃具８を後壁２ｂと底面に沿って挿入しながら反対側の前壁２ｂに沿って掻き上げることによって行うことができる。なおこの清掃具８の先端は必ずしも湾曲させる必要はない。
【００１７】
また、清掃具８として上記のように工具ではなく、例えば図４に示すように集水部４の枡目寸法に適合した幅で先端が板状の既存の小型角形スコップを上記同様に挿入して掻き上げることによっても掬い上げて除去することができる。
【００１８】
このとき、清掃具８の掻き上げは接続部７を設けない内壁面に沿って行うことが望ましいので、底面３の湾曲の向きは、少なくともその湾曲端の一端に接続部７がない面に連続する方向に形成することが望ましい。
【００１９】
上記底面の湾曲面は必ずしも図示するような正円の半円形である必要はなく、またプレキャストコンクリート製である必要もない。また、接続部７の形状及び形成位置は上記以外の水路材６の種類（例えば管状部材）やサイズ等に応じて設計上任意に決められる。
【産業上の利用可能性】
【００２０】
この考案集水枡は一般土木部間や農業土木又は市街地等の広汎な集配水路に適用可能である。
【符号の説明】
【００２１】
１    集水枡
２ａ  左右側壁（周壁）
２ｂ  前後壁（周壁）
３    底面
４    集水部
６    水路材
７    接続部
８    清掃具
【図１】
0003151933.tif 000003
【図２】
0003151933.tif 000004
【図３】
0003151933.tif 000005
【図４】
0003151933.tif 000006